(57)【特許請求の範囲】
【請求項１】
つぎの事項（１）〜（14）により特定されるカラオケ演奏装置。
（１）カラオケデータベースと、演奏手段と、データ転送インタフェースと、制御手段と、操作入力手段と、表示手段を備えたカラオケ演奏装置であること
（２）カラオケデータベースは、楽曲単位のカラオケデータを集約すること
（３）カラオケデータは、複数チャンネルのパートデータの集合からなる音楽生成データと、補助データを含むこと
（４）補助データは、区間指定情報と、チャンネル指定情報を含むこと
（５）区間指定情報は、楽曲中の一部区間を特定すること
（６）チャンネル指定情報は、優先順位の付いたチャンネル番号の集合を含むこと
（７）演奏手段は、制御手段の制御に従って音楽生成データを演奏すること
（８）データ転送インタフェースは、通信機能付きの携帯機器と双方向の通信を可能とすること
（９）制御手段は、操作入力手段により鳴動メロディ試聴要求の利用者入力を受け付けた際、第１〜第５処理を行うこと
（10）第１処理は、操作入力手段により楽曲を指定する利用者入力を受け付けるとともに、データ転送インタフェースにより携帯機器と通信して携帯機器から音源仕様情報を受信すること
（11）第２処理は、第１処理で指定された楽曲のカラオケデータＡをカラオケデータベースから抽出し、カラオケデータＡから区間指定情報Ｂとチャンネル指定情報Ｃを抽出すること
（12）第３処理は、第１処理で受信した音源仕様情報に基づいて、チャンネル指定情報Ｃから優先順位の高い順にチャンネル番号を抽出すること
（13）第４処理は、カラオケデータＡの音楽生成データのうち、第３処理で抽出したチャンネル番号に該当するパートデータの部分集合を、区間指定情報Ｂにより特定される一部区間だけ演奏手段により演奏させること
（14）第５処理は、操作入力手段により転送要求の利用者入力を受け付けた際、第４処理で演奏させたパートデータ部分集合の前記一部区間をデータ転送インタフェースにより前記携帯機器に送信すること
【発明の詳細な説明】
【０００１】
【発明の属する技術分野】
この発明は、カラオケデータを流用して通信機能付き携帯機器に鳴動メロディ用の音楽生成データを供給できるカラオケ演奏装置に関する。
【０００２】
【従来の技術および発明が解決しようとする課題】
カラオケ演奏装置に装備された音楽データ群は、多彩な音楽ジャンルのメロディーを伴奏音楽として鳴らすべく膨大な種類に亘って用意されている。
【０００３】
一方、着信音の鳴り出す携帯電話やＰＨＳおよびページャ、またはアラーム音の鳴る電子手帳や腕時計など種々の携帯機器にあっては、鳴り出すメロディ音の種類をなるべく多めに用意して自由に選べるようになっている。しかしながら、それでもその種類の数は知れており、使い出してしばらくする内にどれも聞き飽きてしまう。
【０００４】
本発明は、このような課題を解決するためになされたものであり、その目的は、鳴動メロディを供給するための音楽生成データベースを別途専用に設けることなく、多彩な鳴動メロディを種々の携帯機器の仕様に合わせて供給することにある。
【０００５】
【課題を解決するための手段】
この発明に係るカラオケ演奏装置は、つぎの事項（１）〜（14）により特定されるものである。
（１）カラオケデータベースと、演奏手段と、データ転送インタフェースと、制御手段と、操作入力手段と、表示手段を備えたカラオケ演奏装置であること
（２）カラオケデータベースは、楽曲単位のカラオケデータを集約すること
（３）カラオケデータは、複数チャンネルのパートデータの集合からなる音楽生成データと、補助データを含むこと
（４）補助データは、区間指定情報と、チャンネル指定情報を含むこと
（５）区間指定情報は、楽曲中の一部区間を特定すること
（６）チャンネル指定情報は、優先順位の付いたチャンネル番号の集合を含むこと
（７）演奏手段は、制御手段の制御に従って音楽生成データを演奏すること
（８）データ転送インタフェースは、通信機能付きの携帯機器と双方向の通信を可能とすること
（９）制御手段は、操作入力手段により鳴動メロディ試聴要求の利用者入力を受け付けた際、第１〜第５処理を行うこと
（10）第１処理は、操作入力手段により楽曲を指定する利用者入力を受け付けるとともに、データ転送インタフェースにより携帯機器と通信して携帯機器から音源仕様情報を受信すること
（11）第２処理は、第１処理で指定された楽曲のカラオケデータＡをカラオケデータベースから抽出し、カラオケデータＡから区間指定情報Ｂとチャンネル指定情報Ｃを抽出すること
（12）第３処理は、第１処理で受信した音源仕様情報に基づいて、チャンネル指定情報Ｃから優先順位の高い順にチャンネル番号を抽出すること
（13）第４処理は、カラオケデータＡの音楽生成データのうち、第３処理で抽出したチャンネル番号に該当するパートデータの部分集合を、区間指定情報Ｂにより特定される一部区間だけ演奏手段により演奏させること
（14）第５処理は、操作入力手段により転送要求の利用者入力を受け付けた際、第４処理で演奏させたパートデータ部分集合の前記一部区間をデータ転送インタフェースにより前記携帯機器に送信すること
【０００６】
【発明の実施の形態】
＝＝＝＝カラオケ演奏装置の構成＝＝＝＝
本発明に係るカラオケ演奏装置は、通信機能を備えており、適宜な携帯機器１００とデータ通信が行える。この携帯機器１００としては携帯電話やＰＨＳおよびページャ、電子手帳、腕時計などであって、鳴動メロディとして着信音やアラーム音を内蔵のシンセサイザなどでスピーカに出力できる。
【０００７】
カラオケ演奏装置のブロック回路図を図１に示す。同図に示したカラオケ演奏装置はあくまで一例である。中央制御部１１は内部にＣＰＵ、ＲＯＭ、ＲＡＭを含むコンピュータであり、周辺各構成部を統括してカラオケ演奏装置１０を制御している。ハードディスク装置１２にはカラオケ楽曲の伴奏音楽と歌詞画像などを符号化したカラオケデータが蓄積されている。
【０００８】
中央制御部１１は、リモコン送信器３０や操作パネル１３からの選曲入力を操作制御部１５を介して受け取ると、リクエストされた楽曲のカラオケデータをハードディスク装置１２から読み出す。あわせて、適宜な背景映像が収録されたビデオＣＤを再生するようにビデオＣＤチェンジャ２２を制御する。カラオケデータに含まれるＭＩＤＩデータなどの伴奏音楽生成データはシンセサイザ１８へ順次転送され、ここで伴奏音楽が再生される。再生された伴奏音楽は、ミキシングアンプ１９でマイクロホン２１からの歌唱信号と合成されてスピーカ２０より出力される。一方、歌詞画像データは内部にビデオＲＡＭを含む表示制御部１６に転送される。表示制御部１６はビデオＲＡＭに歌詞画像のビットマップデータを展開するとともに、歌詞の文字列を伴奏音楽の進行に同期させながらビデオＣＤチェンジャ２２から出力される背景映像にスーパーインポーズしてディスプレイ１７に出力する。
【０００９】
また、中央制御部１１には、携帯機器とデータ通信するためのデータ転送インタフェース２３が接続されている。このインタフェース２３は例えばＩｒＤＡなど適宜な無線通信規格に則ったものが採用される。
【００１０】
＝＝＝＝鳴動メロディの試聴およびデータ送信の機能＝＝＝＝
＜＜＜ＭＩＤＩデータにおいて特定された鳴動メロディパート＞＞＞
カラオケ演奏装置１０のカラオケデータを流用して通信機能付きの携帯機器１００に鳴動メロディ用の音楽生成データを供給する。
そのデータとしては、図２に示すように各楽曲のＭＩＤＩデータ（演奏データ）における特定の部分である。つまり、その再生時間軸（図中の矢印方向）上において鳴動メロディ候補として一つまたは複数の演奏区間（メロディ１〜３）が特定されている。この演奏区間は各楽曲における歌い初めやサビおよび特徴的な旋律部分であって、鳴動メロディとして相応しい区間である。また、各演奏区間では主旋律パートの他にハーモニーを構成する楽器パートを複数特定してある。このような演奏区間および楽曲パートを特定するデータが各楽曲のＭＩＤＩデータに補助データとして付帯している。この補助データの指定に従い、鳴動メロディに対応する部分的なＭＩＤＩデータ（鳴動メロディ用パート）を取り出して携帯機器１００に供給する。この補助データの記憶容量は各楽曲のＭＩＤＩデータ全体に比し、極めて微少なものである。
【００１１】
この鳴動メロディを生成するＭＩＤＩデータについて具体的に説明する。例えば図２の下側の図表に示すように、ある楽曲ではメロディ１〜３の３種類が特定されており、再生時間軸において各メロディの開始時点（時刻ｔ１，ｔ３，ｔ５）および終了時点（時刻ｔ２，ｔ４，ｔ６）が指定されている。このように特定されたＭＩＤＩデータを受け取る携帯機器１００のシンセサイザは、比較的簡素な１チップのＩＣで構成されることが多く、カラオケ演奏装置の高級なシンセサイザ１８のように多様なＭＩＤＩチャンネルすべてに対応して鳴動メロディを生み出すことはできない。このため、各演奏区間におけるメロディ１〜３にあっては、もともと伴奏音楽生成データとして指定されていたＭＩＤＩチャンネルすべてを鳴動メロディの生成用に特定していない。図２の下側の図表に示すように各メロディ１〜３では限られたいくつかのＭＩＤＩチャンネルの番号を指定している。
【００１２】
また、このように限定的にＭＩＤＩチャンネルを指定したとしても供給相手の携帯機器１００によっては、指定部分のＭＩＤＩチャンネルすべてには対応できない場合がある。このような場合に備えてＭＩＤＩチャンネルに優先順位を割り当てておき、携帯機器１００の音源仕様に従って優先順位の高いＭＩＤＩチャンネル番号を抽出して供給するようにする。なお、同一のＭＩＤＩチャンネルで同時発音して和音を形成しているメロディ部分のＭＩＤＩデータについても相手先の携帯機器の音源仕様に従って同時発音可能なデータに削減した上で供給する。
【００１３】
＜＜＜鳴動メロディの試聴および供給の動作＞＞＞
図３のフローチャートに示すように、リモコン送信器３０や操作パネル１３を通じて鳴動メロディを試聴する操作入力を受け付けると、楽曲を指定する操作入力を待つ（Ｓ１０→Ｓ２０）。このとき、楽曲指定の操作入力を促す画面をディスプレイ１７に表示して待つ。楽曲が指定されると携帯機器１００との交信動作を開始する。交信が成立しない場合には、携帯機器１００をメロディ受信モードに設定を促す画面をディスプレイ１７に表示する（Ｓ３０→Ｓ４０）。交信が成立すると携帯機器１００において鳴動メロディの音声信号を生成するための音源仕様を取得する（Ｓ５０）。そして、得られた音源仕様に従ってＳ２０で指定された楽曲の各鳴動メロディを順次演奏する（Ｓ６０）。
【００１４】
一連の演奏動作が終了するとメロディ選択決定のメニュー画面を表示し、演奏した複数（一つの場合もある）の鳴動メロディのうちで携帯機器１００へ取り込むメロディを選択する操作入力を待つ（Ｓ７０）。そのメニュー画面の一例を図４に示す。このとき、鳴動メロディを聞き直す選択入力も受け付け、これがあれば再度演奏する。携帯機器１００へ供給すべき鳴動メロディの決定入力があると交信中の携帯機器１００からここで利用可能なデータフォーマットの形式を認知する（Ｓ７０→Ｓ８０）。そして、携帯機器１００の音源仕様に従った該当の鳴動メロディのＭＩＤＩデータをそのデータフォーマット形式に変換して携帯機器１００へ送信する（Ｓ９０）。携帯機器１００は送信されてきたＭＩＤＩデータを受け取って内蔵の記憶部に格納して鳴動メロディとして利用する。
【００１５】
【発明の効果】
カラオケ演奏装置を通信機能付き携帯機器の鳴動メロディのデータソースとして活用できる。カラオケ演奏装置に蓄積された膨大なカラオケデータを流用して通信機能付き携帯機器に鳴動メロディ用の音楽生成データを供給できる。このため、膨大な楽曲の中から好みのメロディを任意に選ぶことができる。そして、鳴動メロディ用の音楽生成データベースを別途専用に設けなくて済む。
【００１６】
また、鳴動メロディ用の音楽生成データを供給するに先だって、携帯機器の演奏制御形式に合わせた演奏を行うため、この携帯機器におけるメロディの実際の鳴動具合を予め試聴確認することができる。
さらに、鳴動メロディ用の音楽生成データを供給する際には、相手先の携帯機器のデータフォーマット形式を通信により取得した上で供給するため、種々の仕様の携帯機器に随時対応した供給が行える。そして、相手先の携帯機器のデータフォーマット形式に変換した上で供給するので、携帯機器側ではフォーマット変換の処理を負担せずに済む。
【図面の簡単な説明】
【図１】この発明の実施の一例によるカラオケ演奏装置のブロック回路図である。
【図２】同上カラオケ演奏装置のカラオケ伴奏音楽データにおける鳴動メロディを特定した演奏区間を示す概念図である。
【図３】同上カラオケ装置の鳴動メロディの試聴および送信の機能の動作例を示すフローチャートである。
【図４】同上カラオケ装置から携帯機器へ供給するメロディデータの選択決定を促すメニュー画面の一例を示す模式図である。
【符号の説明】
１０      カラオケ演奏装置
１１      中央制御部
１２      ハードディスク装置
１３      操作パネル
１５      操作制御部
１６      表示制御部
１７      ディスプレイ
１８      シンセサイザ
１９      ミキシングアンプ
２０      スピーカ
２１      マイクロホン
２２      ビデオＣＤチェンジャ
２３      データ転送インタフェース
３０      リモコン送信器
１００      携帯機器
【図１】
0004108809.tif 000002
【図２】
0004108809.tif 000003
【図３】
0004108809.tif 000004
【図４】
0004108809.tif 000005